(57)【要約】【課題】自装置を使用する目的以外で接近してきた人物は除外して、人の接近に反応して省電力モードを解除することのできるジョブ処理装置、印刷処理装置を提供する。【解決手段】省電力モード中に人感センサが人物の接近を検知すると、その接近人物が所有するＲＦＩＤタグと通信してユーザＩＤを取得し、該接近人物が予め設定されている除外人物か否かを判定し、除外人物でない場合は省電力モードを解除して通常モードに切り替え、除外人物の場合は該人物の接近により省電力モードを解除せず、ユーザ操作や原稿セットを契機に省電力モードを解除する。たとえば、印刷依頼者などは印刷後、印刷物が排紙トレイにある間は除外人物に設定される。【選択図】図３
2013055618.tif 000002
【特許請求の範囲】
【請求項１】
ジョブを実行するジョブ実行部と、
自装置の動作モードを、通常モードと、該通常モードより消費電力の少ない省電力モードに切り替える制御部と、
ユーザからジョブの設定に係る操作を受ける操作部と、
人物の接近を検知する検知部と、
接近してきた人物の特定を行う人物特定部と、
を有し、
前記制御部は、
省電力モード中に前記操作部がユーザから操作を受けた場合は、省電力モードを解除して通常モードに切り替え、
省電力モード中に前記検知部によって人物の接近が検知された場合は、該接近の検知された人物が所定の除外人物か否かを前記人物特定部による人物特定の結果に基づいて判定し、除外人物でないと判定したときは省電力モードを解除して通常モードに切り替え、除外人物の場合は該人物の接近により省電力モードを解除しない
ことを特徴とするジョブ処理装置。
【請求項２】
前記制御部は、省電力モード中に前記検知部によって人物の接近が検知された場合に、自装置が特定状態にないときは、省電力モードを解除して通常モードに切り替え、自装置が特定状態にあるときは前記判定を行って省電力モードを解除するか否かを制御する
ことを特徴とする請求項１に記載のジョブ処理装置。
【請求項３】
外部装置から印刷ジョブを受信する受信部と、前記受信部で受信した印刷ジョブに関する印刷を行う前記ジョブ実行部としての印刷部と、前記印刷部が印刷出力した印刷物が排紙部に存在するか否かを検出する印刷物検出部とを備え、
前記特定状態は、前記印刷物検出部が印刷物を検出している状態であり、
前記制御部は、前記受信部で受信して前記印刷部で印刷の実行された印刷ジョブを投入したユーザを前記除外人物に登録し、その後、このユーザが自装置に接近して離れたことが検出された場合に該ユーザの除外人物の登録を削除する
ことを特徴とする請求項２に記載のジョブ処理装置。
【請求項４】
外部装置から印刷ジョブを受信する受信部と、前記受信部で受信した印刷ジョブに関する印刷を行う前記ジョブ実行部としての印刷部と、前記印刷部が印刷出力した印刷物が排紙部に存在するか否かを検出する印刷物検出部とを備え、
前記特定状態は、前記印刷物検出部が印刷物を検出している状態であり、
前記制御部は、前記受信部で受信して前記印刷部で印刷の実行された印刷ジョブを投入したユーザを前記除外人物に登録し、その後、前記排紙部から印刷物がなくなった場合に該ユーザの除外人物の登録を削除する
ことを特徴とする請求項２に記載のジョブ処理装置。
【請求項５】
外部装置から印刷ジョブを受信する受信部と、前記受信部で受信した印刷ジョブに関する印刷を行う前記ジョブ実行部としての印刷部と、前記印刷部が印刷出力した印刷物が排紙部に存在するか否かを検出する印刷物検出部とを備え、
前記特定状態は、前記印刷物検出部が印刷物を検出している状態であり、
前記制御部は、前記受信部で受信して前記印刷部で印刷の実行された印刷ジョブを投入したユーザを前記除外人物に登録し、その後、このユーザが自装置に接近して離れたことが検出されかつこのとき前記排紙部から印刷物がなくなった場合に該ユーザの除外人物の登録を削除する
ことを特徴とする請求項２に記載のジョブ処理装置。
【請求項６】
前記人物特定部は、接近してきた人物が保持する無線タグと通信して該無線タグに記憶されている識別情報に基づいて該人物を特定する
ことを特徴とする請求項１乃至５のいずれか１項に記載のジョブ処理装置。
【請求項７】
自装置の使用ユーザとして予め登録されていない人物は前記除外人物とする
ことを特徴とする請求項１に記載のジョブ処理装置。
【請求項８】
電源がオフしている端末装置のユーザは前記除外人物とする
ことを特徴とする請求項１に記載のジョブ処理装置。
【請求項９】
外部装置から印刷ジョブを受信する受信部と、
前記受信部で受信した印刷ジョブに関する印刷を行う印刷部と、
自装置の動作モードを、通常モードと、該通常モードより消費電力の少ない省電力モードに切り替える制御部と、
ユーザからジョブの設定に係る操作を受ける操作部と、
人物の接近を検知する検知部と、
を有し、
前記制御部は、
省電力モード中に前記操作部がユーザから操作を受けた場合は、省電力モードを解除して通常モードに切り替え、
省電力モード中に前記検知部によって人物の接近が検知された場合は、前記受信部で受信した印刷ジョブに関する印刷が終了してから所定時間が経過したか否かを判定し、経過後の場合は省電力モードを解除して通常モードに切り替え、経過前は該人物の接近により省電力モードを解除しない
ことを特徴とする印刷処理装置。
【請求項１０】
前記印刷部が印刷出力した印刷物が排紙部に存在するか否かを検出する印刷物検出部を備え、
前記制御部は、省電力モード中に前記検知部によって人物の接近が検知された場合に、前記印刷物検出部が印刷物を検出していないときは省電力モードを解除して通常モードに切り替え、前記印刷物検出部が印刷物を検出しているときは前記判定を行って省電力モードを解除するか否かを制御する
ことを特徴とする請求項９に記載の印刷処理装置。
【請求項１１】
外部装置から印刷ジョブを受信する受信部と、
前記受信部で受信した印刷ジョブに関する印刷を行う印刷部と、
自装置の動作モードを、通常モードと、該通常モードより消費電力の少ない省電力モードに切り替える制御部と、
ユーザからジョブの設定に係る操作を受ける操作部と、
人物の接近を検知する検知部と、
を有し、
前記制御部は、
省電力モード中に前記操作部がユーザから操作を受けた場合は、省電力モードを解除して通常モードに切り替え、
省電力モード中に前記検知部によって人物の接近が検知された場合は、接近状態の継続時間を計測し、該継続時間が所定時間を越えた場合は省電力モードを解除して通常モードに切り替え、前記継続時間が所定時間を越える前は該人物の接近により省電力モードを解除しない
ことを特徴とする印刷処理装置。
【請求項１２】
前記印刷部が印刷出力した印刷物が排紙部に存在するか否かを検出する印刷物検出部を備え、
前記制御部は、省電力モード中に前記検知部によって人物の接近が検知された場合に、前記印刷物検出部が印刷物を検出していないときは省電力モードを解除して通常モードに切り替え、前記印刷物検出部が印刷物を検出しているときは前記継続時間に基づいて省電力モードを解除するか否かを制御する
ことを特徴とする請求項１１に記載の印刷処理装置。
【請求項１３】
前記制御部は、省電力モード中に前記検知部によって人物の接近が検知された場合に、前記受信部で受信した印刷ジョブに関する印刷が終了してから所定時間が経過したか否かを判定し、経過後の場合は省電力モードを解除して通常モードに切り替え、経過前の場合は前記継続時間に基づいて省電力モードを解除するか否かを制御する
ことを特徴とする請求項１１または１２に記載の印刷処理装置。
【発明の詳細な説明】
【技術分野】
【０００１】
本発明は、操作部から投入されたジョブを実行するジョブ処理装置および印刷処理装置に係り、特に、省電力機能を備えたジョブ処理装置、印刷処理装置に関する。
【背景技術】
【０００２】
プリンタや複合機などの印刷処理装置では、省電力の観点から、待機状態が一定時間継続すると、電源状態を通常モードから省電力モードへ自動的に移行させる機能を備えたものが普及している。
【０００３】
省電力モードから通常モードへの復帰条件は、通常、ユーザから特定の操作ボタンの操作を受けること、あるいは原稿読み取り装置に原稿がセットされることなど、となっている。
【０００４】
このように、ユーザの特定操作や原稿セットなどを復帰条件とする場合、その復帰条件を知らないユーザは装置を通常モードに復帰させることができずに困ってしまう。また、省電力モードから通常モードへ復帰するまでには所定の時間を要するので、ユーザの特定操作や原稿セットを契機に復帰動作を開始すると、通常モードに復帰して装置が使用可能になるまでの装置の前でのユーザの待ち時間が長くなってしまう。
【０００５】
そこで、印刷処理装置本体に人感センサを設置し、人物が印刷処理装置に近づいたことを感知したとき省電力モードから通常モードへ復帰させ、人物が印刷処理装置の前に到達したときには既に省電力モードが解除されて、通常の操作が出来るようにする技術が提案されている（たとえば、特許文献１参照。）。
【先行技術文献】
【特許文献】
【０００６】
【特許文献１】特開２０１０−２１７３０３号公報
【発明の概要】
【発明が解決しようとする課題】
【０００７】
近年は、ネットワークで接続された端末装置から複合機などの印刷処理装置へ印刷ジョブを送信し、その印刷が完了した頃に印刷処理装置へ印刷物を取りに行く、といったワークケースが増えている。この場合、ユーザが印刷処理装置の前まで行く目的は印刷物の取得であって装置を使用する目的はない。
【０００８】
しかしながら、単に人物の接近を検知しただけで省電力モードを解除する場合には、使用目的のないユーザが近づいて来た場合にも省電力モードが解除されてしまい、省エネ効果を低下させてしまう。
【０００９】
本発明は、上記の問題を解決しようとするものであり、自装置を使用する目的以外で接近してきた人物は除外して、人の接近に反応して省電力モードを解除することのできるジョブ処理装置および印刷処理装置を提供することを目的としている。
【課題を解決するための手段】
【００１０】
かかる目的を達成するための本発明の要旨とするところは、次の各項の発明に存する。
【００１１】
［１］ジョブを実行するジョブ実行部と、
自装置の動作モードを、通常モードと、該通常モードより消費電力の少ない省電力モードに切り替える制御部と、
ユーザからジョブの設定に係る操作を受ける操作部と、
人物の接近を検知する検知部と、
接近してきた人物の特定を行う人物特定部と、
を有し、
前記制御部は、
省電力モード中に前記操作部がユーザから操作を受けた場合は、省電力モードを解除して通常モードに切り替え、
省電力モード中に前記検知部によって人物の接近が検知された場合は、該接近の検知された人物が所定の除外人物か否かを前記人物特定部による人物特定の結果に基づいて判定し、除外人物でないと判定したときは省電力モードを解除して通常モードに切り替え、除外人物の場合は該人物の接近により省電力モードを解除しない
ことを特徴とするジョブ処理装置。
【００１２】
上記発明では、省電力モード中に人物の接近が検知された場合は、接近してきた人物の特定を行う人物特定部による人物特定の結果に基づいて、該接近人物が所定の除外人物か否かを判定し、除外人物でない場合は省電力モードを解除し、除外人物の場合は該人物の接近によっては省電力モードを解除しない。除外人物は、予め登録されているユーザ、あるいは登録されていないユーザとすることができる。たとえば、印刷の実行された印刷ジョブの依頼者などは、除外人物に一時的に登録される。
【００１３】
［２］前記制御部は、省電力モード中に前記検知部によって人物の接近が検知された場合に、自装置が特定状態にないときは、省電力モードを解除して通常モードに切り替え、自装置が特定状態にあるときは前記判定を行って省電力モードを解除するか否かを制御する
ことを特徴とする［１］に記載のジョブ処理装置。
【００１４】
上記発明では、自装置が特定状態にないときは、人物の接近によって直ちに省電力モードを解除し、特定状態にあるときは接近人物が除外人物か否かを判定し、除外人物の場合は省電力モードを解除せず、除外人物でない場合は省電力モードを解除する。特定状態は任意に設定すればよいが、たとえば、印刷物が排紙トレイに存在するとき、印刷終了から一定時間内などを特定状態とすることができる。
【００１５】
［３］外部装置から印刷ジョブを受信する受信部と、前記受信部で受信した印刷ジョブに関する印刷を行う前記ジョブ実行部としての印刷部と、前記印刷部が印刷出力した印刷物が排紙部に存在するか否かを検出する印刷物検出部とを備え、
前記特定状態は、前記印刷物検出部が印刷物を検出している状態であり、
前記制御部は、前記受信部で受信して前記印刷部で印刷の実行された印刷ジョブを投入したユーザを前記除外人物に登録し、その後、このユーザが自装置に接近して離れたことが検出された場合に該ユーザの除外人物の登録を削除する
ことを特徴とする［２］に記載のジョブ処理装置。
【００１６】
上記発明では、印刷の依頼者は、依頼した印刷の終了後の１回目の接近においては除外人物として扱われる。１回目の接近は、印刷物の取得目的と考えられることによる。印刷終了後のその人物の２回目の接近では、通常通り、省電力モードが解除される。
【００１７】
［４］外部装置から印刷ジョブを受信する受信部と、前記受信部で受信した印刷ジョブに関する印刷を行う前記ジョブ実行部としての印刷部と、前記印刷部が印刷出力した印刷物が排紙部に存在するか否かを検出する印刷物検出部とを備え、
前記特定状態は、前記印刷物検出部が印刷物を検出している状態であり、
前記制御部は、前記受信部で受信して前記印刷部で印刷の実行された印刷ジョブを投入したユーザを前記除外人物に登録し、その後、前記排紙部から印刷物がなくなった場合に該ユーザの除外人物の登録を削除する
ことを特徴とする［２］に記載のジョブ処理装置。
【００１８】
上記発明では、印刷の依頼者は、依頼した印刷の終了後、その印刷物が排紙部に存在する間は、除外人物として扱われる。印刷物が排紙部から取り去られた後の接近では、通常通り、省電力モードが解除される。
【００１９】
［５］外部装置から印刷ジョブを受信する受信部と、前記受信部で受信した印刷ジョブに関する印刷を行う前記ジョブ実行部としての印刷部と、前記印刷部が印刷出力した印刷物が排紙部に存在するか否かを検出する印刷物検出部とを備え、
前記特定状態は、前記印刷物検出部が印刷物を検出している状態であり、
前記制御部は、前記受信部で受信して前記印刷部で印刷の実行された印刷ジョブを投入したユーザを前記除外人物に登録し、その後、このユーザが自装置に接近して離れたことが検出されかつこのとき前記排紙部から印刷物がなくなった場合に該ユーザの除外人物の登録を削除する
ことを特徴とする［２］に記載のジョブ処理装置。
【００２０】
上記発明では、印刷の依頼者は、依頼した印刷の終了後は除外人物に登録され、その登録は、該依頼者が接近したときにその印刷物が排紙部から取り去られた場合に、つまり、印刷依頼者が当該装置に来て印刷物を取り去った場合に、削除される。
【００２１】
［６］前記人物特定部は、接近してきた人物が保持する無線タグと通信して該無線タグに記憶されている識別情報に基づいて該人物を特定する
ことを特徴とする［１］乃至［５］のいずれか１項に記載のジョブ処理装置。
【００２２】
上記発明では、たとえば、各ユーザが所持するＩＤカードに埋め込まれた無線タグと通信し、その無線タグに記憶されているユーザＩＤを取得することで、接近人物を特定する。
【００２３】
［７］自装置の使用ユーザとして予め登録されていない人物は前記除外人物とする
ことを特徴とする［１］に記載のジョブ処理装置。
【００２４】
上記発明では、使用を許可するユーザを予め登録しておき、登録ユーザ以外の人物を除外人物とする。すなわち、使用の許可されないユーザが接近しても省電力モードは解除されない。
【００２５】
［８］電源がオフしている端末装置のユーザは前記除外人物とする
ことを特徴とする［１］に記載のジョブ処理装置。
【００２６】
上記発明では、自分の端末装置の電源がオフしているユーザは、除外人物にされる。すなわち、接近人物の端末装置が電源オフしている場合は、この人物の今回の接近の目的は、帰宅前にジョブ処理装置の電源をオフすることにあると推定し、省電力モードの解除は行わない。
【００２７】
［９］外部装置から印刷ジョブを受信する受信部と、
前記受信部で受信した印刷ジョブに関する印刷を行う印刷部と、
自装置の動作モードを、通常モードと、該通常モードより消費電力の少ない省電力モードに切り替える制御部と、
ユーザからジョブの設定に係る操作を受ける操作部と、
人物の接近を検知する検知部と、
を有し、
前記制御部は、
省電力モード中に前記操作部がユーザから操作を受けた場合は、省電力モードを解除して通常モードに切り替え、
省電力モード中に前記検知部によって人物の接近が検知された場合は、前記受信部で受信した印刷ジョブに関する印刷が終了してから所定時間が経過したか否かを判定し、経過後の場合は省電力モードを解除して通常モードに切り替え、経過前は該人物の接近により省電力モードを解除しない
ことを特徴とする印刷処理装置。
【００２８】
上記発明では、印刷終了から所定時間内の人物の接近は、印刷物の取得を目的とする接近であると推定して、省電力モードを解除しない。
【００２９】
［１０］前記印刷部が印刷出力した印刷物が排紙部に存在するか否かを検出する印刷物検出部を備え、
前記制御部は、省電力モード中に前記検知部によって人物の接近が検知された場合に、前記印刷物検出部が印刷物を検出していないときは省電力モードを解除して通常モードに切り替え、前記印刷物検出部が印刷物を検出しているときは前記判定を行って省電力モードを解除するか否かを制御する
ことを特徴とする［９］に記載の印刷処理装置。
【００３０】
上記発明では、印刷終了から所定時間内の人物の接近であっても、排紙部に印刷物が存在しない場合は省電力モードを解除し、排紙部に印刷物が存在する場合のみ、印刷物の取得を目的とする接近であると推定して、省電力モードを解除しない。
【００３１】
［１１］外部装置から印刷ジョブを受信する受信部と、
前記受信部で受信した印刷ジョブに関する印刷を行う印刷部と、
自装置の動作モードを、通常モードと、該通常モードより消費電力の少ない省電力モードに切り替える制御部と、
ユーザからジョブの設定に係る操作を受ける操作部と、
人物の接近を検知する検知部と、
を有し、
前記制御部は、
省電力モード中に前記操作部がユーザから操作を受けた場合は、省電力モードを解除して通常モードに切り替え、
省電力モード中に前記検知部によって人物の接近が検知された場合は、接近状態の継続時間を計測し、該継続時間が所定時間を越えた場合は省電力モードを解除して通常モードに切り替え、前記継続時間が所定時間を越える前は該人物の接近により省電力モードを解除しない
ことを特徴とする印刷処理装置。
【００３２】
上記発明では、接近してきた人物が短時間で立ち去った場合は、印刷物を取りに来た、あるいは、近くを通り過ぎたと推定し、省電力モードを解除しない。接近状態が所定時間以上継続した場合のみ、装置を使用する目的での接近と判断して省電力モードを解除する。
【００３３】
［１２］前記印刷部が印刷出力した印刷物が排紙部に存在するか否かを検出する印刷物検出部を備え、
前記制御部は、省電力モード中に前記検知部によって人物の接近が検知された場合に、前記印刷物検出部が印刷物を検出していないときは省電力モードを解除して通常モードに切り替え、前記印刷物検出部が印刷物を検出しているときは前記継続時間に基づいて省電力モードを解除するか否かを制御する
ことを特徴とする［１１］に記載の印刷処理装置。
【００３４】
上記発明では、接近の継続時間にかかわらず、排紙部に印刷物が存在しない場合は省電力モードを解除し、排紙部に印刷物が存在する場合は接近状態が所定時間以上継続したことを条件に省電力モードを解除する。
【００３５】
［１３］前記制御部は、省電力モード中に前記検知部によって人物の接近が検知された場合に、前記受信部で受信した印刷ジョブに関する印刷が終了してから所定時間が経過したか否かを判定し、経過後の場合は省電力モードを解除して通常モードに切り替え、経過前の場合は前記継続時間に基づいて省電力モードを解除するか否かを制御する
ことを特徴とする［１１］または［１２］に記載の印刷処理装置。
【００３６】
上記発明では、さらに、印刷終了から所定時間が経過後は、接近の継続時間にかかわらず、人物の接近により省電力モードを解除し、印刷終了から所定時間が経過する前は、接近状態が所定時間以上継続したことを条件に省電力モードを解除する。
【発明の効果】
【００３７】
本発明に係るジョブ処理装置および印刷処理装置によれば、自装置を使用する目的以外で接近してきた人物は除外して、人の接近に反応して省電力モードを解除することができる。
【図面の簡単な説明】
【００３８】
【図１】本発明の実施の形態に係るジョブ処理装置（印刷処理装置）の概略構成を示すブロック図である。
【図２】人感センサの検知範囲を例示した説明図である。
【図３】本発明の第１の実施の形態に係るジョブ処理装置の省電力モードの解除に関する処理を示す流れ図である。
【図４】除外人物を判定する処理を示す流れ図である。
【図５】印刷依頼者を除外人物リストへ登録および削除する処理を示す流れ図である。
【図６】印刷依頼者を除外人物リストへ登録および削除する処理の他の例を示す流れ図である。
【図７】本発明の第２の実施の形態に係るジョブ処理装置の省電力モードの解除に関する処理の第１例を示す流れ図である。
【図８】本発明の第２の実施の形態に係るジョブ処理装置の省電力モードの解除に関する処理の第２例を示す流れ図である。
【図９】本発明の第３の実施の形態に係るジョブ処理装置の省電力モードの解除に関する処理を示す流れ図である。
【図１０】本発明の第３の実施の形態に係るジョブ処理装置の省電力モードの解除に関する処理の第２例を示す流れ図である。
【図１１】本発明の第３の実施の形態に係るジョブ処理装置の省電力モードの解除に関する処理の第３例を示す流れ図である。
【発明を実施するための形態】
【００３９】
以下、図面に基づき本発明の各種の実施の形態を説明する。
【００４０】
図１は、本発明の第１の実施の形態に係るジョブ処理装置（印刷処理装置）１０の概略構成を示すブロック図である。ジョブ処理装置１０は、当該ジョブ処理装置１０の動作を統括的に制御するＣＰＵ(Central Processing Unit)１１を有している。ＣＰＵ１１にはバスを通じてＲＯＭ(Read Only Memory)１２と、ワークメモリ（ＲＡＭ(Random Access Memory)）１３と、ファイル制御部１４と、不揮発メモリ１５と、ハードディスク装置（ＨＤＤ）１６と、画像入力部１７と、画像印刷部１８と、画像メモリ１９と、操作表示部２１と、圧縮/復号部２２と、ネットワーク制御部２３と、汎用Ｉ／Ｆ２４が接続されている。この汎用Ｉ／Ｆ２４には、人感センサ２５、ＲＦＩＤ（Radio Frequency IDentification）通信部２６、タイマー部２７などが接続されている。さらに、ジョブ処理装置１０は、当該ジョブ処理装置１０の各部に電力を供給する電源部２８を備えている。
【００４１】
ＣＰＵ１１は、ＯＳ（Operating System）プログラムをベースとし、その上で、ミドルウェアやアプリケーションプログラムなどを実行する。
【００４２】
ＲＯＭ１２には、各種のプログラムが格納されており、これらのプログラムに従ってＣＰＵ１１が各種処理を実行することでジョブ処理装置１０の各機能が実現される。
【００４３】
ワークメモリ１３は、ＣＰＵ１１がプログラムに基づいて処理を実行する際に各種のデータを一時的に格納するランダムアクセスメモリである。ファイル制御部１４は、所謂、ファイルシステムであり、画像データなどをファイル化して管理する。
【００４４】
不揮発メモリ１５は、電源をオフにしても記憶内容が破壊されないメモリ（フラッシュメモリ）であり、各種設定情報の保存などに使用される。ハードディスク装置１６は、不揮発・大容量の記憶装置であり、各種のプログラムのほか、受信した印刷データや画像データの保存に使用される。さらに、後述する除外人物リスト３０が記憶される。除外人物リスト３０は不揮発メモリ１５に記憶されてもよい。
【００４５】
画像入力部１７は、原稿を光学的に読み取って画像データを取得する機能を果たす。画像入力部１７は、例えば、原稿に光を照射する光源と、その反射光を受けて原稿を幅方向に１ライン分読み取るラインイメージセンサと、ライン単位の読取位置を原稿の長さ方向に順次移動させる移動ユニットと、原稿からの反射光をラインイメージセンサに導いて結像させるレンズやミラーなどからなる光学経路と、ラインイメージセンサの出力するアナログ画像信号をデジタルの画像データに変換する変換部などを備えて構成される。
【００４６】
また、画像入力部１７は自動原稿搬送部（ＡＤＦ）を備えており、原稿台にセットされた原稿をその最上のものから１枚ずつ順に繰り出して搬送し、読取位置を通過させて所定の排紙位置へ排紙する機能を果たす。なお、画像入力部１７は原稿がセットされたか否かを検出する図示省略の原稿センサが備えている。
【００４７】
画像印刷部１８は、画像データに応じた画像を記録紙上に画像形成して印刷出力する機能を果たす。ここでは、記録紙の搬送装置と、感光体ドラムと、帯電装置と、レーザーユニットと、現像装置と、転写分離装置と、クリーニング装置と、定着装置とを有し、電子写真プロセスによって画像形成を行う、所謂、レーザープリンタとして構成されている。画像形成は他の方式でもかまわない。
【００４８】
画像印刷部１８は、印刷の完了した記録紙が排出される排紙トレイを備えている。また、排紙トレイに印刷物が存在するか否かを検知する排紙部センサ２９を備えている。
【００４９】
画像メモリ１９は、画像データを格納するためのメモリである。画像メモリ１９上で、画像の拡大縮小、回転などの処理、画像の圧縮、復号などの処理が行われる。
【００５０】
操作表示部２１は、各種の操作画面、設定画面などを表示する液晶ディスプレイなどの表示部と、ユーザから各種の操作を受ける操作部とから構成される。操作部は表示部の画面上に設けられてタッチペンや指などで画面が押下された座標位置やフリック操作・ドラッグ操作などを検出するタッチパネルのほかスタートボタンなどの各種スイッチ類を備えて構成される。
【００５１】
圧縮/復号部２２は、画像データの圧縮、復号（伸張）を行う。画像データは圧縮されてハードディスク装置１６に保存され、読み出し後に復号（伸張）される。
【００５２】
ネットワーク制御部２３は、ＬＡＮ(Local Area Network)などのネットワークを通じて端末装置やその他の外部装置との間でデータを通信する機能を果たす。ネットワーク制御部２３を通じて外部の端末装置から印刷ジョブが受信される。
【００５３】
汎用Ｉ／Ｆ２４に接続された人感センサ２５は、当該ジョブ処理装置１０から所定距離の範囲（たとえば３ｍから５ｍ）内の人物を検出する。人感センサ２５には、たとえば、赤外線センサが使用されるが、これに限定されるものではない。
【００５４】
ＲＦＩＤ通信部２６は、ＲＦＩＤタグ（無線タグ）と通信するためのアンテナと無線制御部とからなり、ＲＦＩＤタグとデータを送受信したりＲＦＩＤタグに無線にて電力を供給したりする機能を果たす。ＲＦＩＤタグは、無線通信機能を備え、外部から電磁的に電力の供給を受けて動作するＩＣチップとアンテナとを内蔵している。ここでは、各ユーザはＲＦＩＤタグの埋め込まれた社員証などのＩＤカードを所持しており、該ＩＤカード内のＩＣチップには所有者のユーザＩＤやユーザ情報が予め記憶されている。
【００５５】
タイマー部２７は、時間の計測に利用される。
【００５６】
電源部２８は、商用電源を適宜のＤＣ電圧等に変換してジョブ処理装置１０の各部へ電力を供給する。また、ＣＰＵ１１からの指示に従って、電力を供給するか供給を停止するかを電力供給先別に制御する機能を備えている。ここでは、動作モードが通常モードの場合は全ての部分に電力供給し、通常モードよりも消費電力の少ない省電力モードでは、該省電力モードから通常モードで復帰するために必要な部分のみに通電し他の部分への電力供給は停止するようになっている。省電力モードでは、たとえば、定着器、操作表示部２１の液晶ディスプレイなどは電源オフにする。またＣＰＵ１１は動作周波数を下げて動作するなどにより省電力化される。
【００５７】
ジョブ処理装置１０は、ユーザからの操作を受けず、かつジョブを実行していない待機状態が一定時間以上継続すると、自動的に動作モードを省電力モードに移行させる機能を備えている。また、端末装置からのジョブ受信、操作表示部２１に対するユーザの特定操作、画像入力部１７の原稿台への原稿のセット、人感センサ２５によって人物の接近が検知される、などの予め定めた復帰条件が成立したとき、省電力モードから通常モードへ復帰するようになっている。
【００５８】
ただし、人感センサ２５による人物の接近検知に基づく省電力モードの解除動作は、特定の条件下では作動しないように制御される。すなわち、ジョブ処理装置１０を使う目的で接近してくる人物か否かを判定し、使用目的を持たない人物の接近では省電力モードを解除しないようになっている。
【００５９】
図２は、人感センサ２５の配置および人物の検知範囲の一例を示している。本例では、ジョブ処理装置１０の前面上部中央に人感センサ２５が設置されており、ジョブ処理装置１０の前面手前側の所定範囲が検知範囲となっている。本例では、１つの人感センサ２５を用いているが、人感センサを複数配設してもよい。複数の人感センサを使用すれば、人の接近の仕方（方向）などを判断することも可能になる。また、人の接近の仕方を高精度で検出できれば、その情報を学習機能と連動させて、さらに正確な人物の動きを検出して省電力モードの解除を制御することが可能になる。
【００６０】
図３は、ジョブ処理装置１０が行う省電力モードへの移行および解除に関する動作の流れを示している。ＣＰＵ１１は、省電力モードへの移行条件が成立するか否か（無操作かつジョブ実行なしの状態が一定時間以上継続したか否かなど）を監視し（ステップＳ１０１）、移行条件が成立したら（ステップＳ１０１；Ｙ）、自装置の動作モードを省電力モードへ移行させる（ステップＳ１０２）。そして、省電力モード中は以下の動作を行う。
【００６１】
ＣＰＵ１１は、原稿台への原稿セット状態を原稿センサから入力し（ステップＳ１０３）、原稿セットが検出された場合は（ステップＳ１０４；Ｙ）、省電力モードを解除する（ステップＳ１０８）。原稿セットが検出されないときは（ステップＳ１０４；Ｎ）、ＣＰＵ１１は操作表示部２１に対するユーザの操作状態を示す情報を操作表示部２１から入力する（ステップＳ１０５）。ＣＰＵ１１は、操作表示部２１がユーザから何らかの操作（もしくは特定の操作）を受けた場合は（ステップＳ１０６；Ｙ）、省電力モードを解除する（ステップＳ１０８）。
【００６２】
ＣＰＵ１１は、上記の操作をユーザから受けていない場合は（ステップＳ１０６；Ｎ）、人感センサ２５の検出状態を入力する（ステップＳ１０７）。人感センサ２５が人物を検知していない場合は（ステップＳ１０９；Ｎ）、ステップＳ１０３へ戻って、復帰の契機となる事象の発生を監視する。
【００６３】
人感センサ２５が人物を検知している場合は（ステップＳ１０９；Ｙ）、ジョブ処理装置１０が予め定めた特定状態にあるか否かを調べ、特定状態になければ（ステップＳ１１０；Ｎ）、省電力モードを解除する（ステップＳ１０８）。特定状態にあれば（ステップＳ１１０；Ｙ）、ステップＳ１１１へ移行する。
【００６４】
特定状態の内容はユーザや管理者が任意に設定することができる。たとえば、画像印刷部１８の排紙トレイに印刷物が存在する状態を特定状態とする、あるいは、印刷完了から所定時間内を特定状態とする。特定状態はジョブ処理装置１０を使用する目的でない人物が接近して来ることが予想される状態である。なお、図３の動作において、特定状態にあるか否かの判断（ステップＳ１１０）は割愛してもよく、人感センサ２５が人物を検知している場合に（ステップＳ１０９；Ｙ）、直ちに、ステップＳ１１１へ移行してもよい。
【００６５】
ステップＳ１１１では、接近した人物が携帯しているＩＤカードのＩＣチップとＲＦＩＤ通信部２６によって通信して、ユーザＩＤを取得する。なお、接近した人物がＩＤカードを持っていない場合は、ＲＦＩＤ通信部２６による通信は失敗となり、ユーザＩＤを取得できない。
【００６６】
ステップＳ１１１でのＲＦＩＤ通信部２６による通信結果から、人感センサ２５によって接近の検知された人物が除外人物か否かを判断する（ステップＳ１１２）。除外人物か否かの判断の詳細は後述する。
【００６７】
除外人物でない場合は（ステップＳ１１２；Ｎ）、省電力モードを解除する（ステップＳ１０８）。
【００６８】
除外人物あると判定できたときは（ステップＳ１１２；Ｙ）、省電力モードを解除せず、省電力モードを維持したままステップＳ１０３へ戻る。なお、この人物が、その後、操作表示部２１を操作するなどすれば、その時点で省電力モードは解除される。
【００６９】
図４は、除外人物か否かの判定処理を示している。この処理は図３のステップＳ１１２に対応する。
【００７０】
ジョブ処理装置１０は、使用を許可するユーザ（登録ユーザ）を予め登録しており、登録ユーザ以外のユーザによる使用を禁止するようになっている。なお、登録ユーザのリストは、たとえば、不揮発メモリ１５などに記憶される。
【００７１】
登録ユーザ以外のユーザが接近人物である場合には、この人物によってジョブ処理装置１０が使用されることはないので、ジョブ処理装置１０は省電力モードを解除すべきでない。そこで、ＲＦＩＤ通信部２６による通信で得た接近人物のユーザＩＤが登録ユーザのリストに登録されているか否かを調べ（ステップＳ１３１）、登録されていない場合（ＲＦＩＤ通信部２６によりユーザＩＤを取得できなかった場合を含む）は（ステップＳ１３２；Ｎ）、今回の接近人物は除外人物であると判定する（ステップＳ１３３）。
【００７２】
接近人物が登録ユーザの場合は（ステップＳ１３２；Ｙ）、その接近人物が除外人物リストに登録されている人物か否かを調べる（ステップＳ１３４）。除外人物リストには、接近しても省電力モードを解除すべきでない人物が予め登録されている。除外人物リストには、たとえば、実行された印刷ジョブの依頼者であって未だ印刷物を取りに来ていないユーザなどが登録される。
【００７３】
接近人物が除外人物リストに登録されているいずれかの人物と一致する場合は（ステップＳ１３５；Ｙ）、今回の接近人物は除外人物であると判定する（ステップＳ１３３）。
【００７４】
接近人物が除外人物リストに登録されていない場合は（ステップＳ１３５；Ｎ）、該接近人物の通常使用する端末装置の電源がオフしているか否かを調べる（ステップＳ１３６）。なお、ジョブ処理装置１０は、各登録ユーザのユーザＩＤとそのユーザが通常使用する端末装置のＩＤ（ＩＰアドレスなど）とを予め関連付けて記憶している。そして、該当の端末装置の電源オンオフ状態をネットワークを通じて確認するようになっている。
【００７５】
たとえば、帰宅前のユーザがジョブ処理装置１０に接近する目的は、ジョブ処理装置１０の使用ではなく、ジョブ処理装置１０の電源をオフする目的と想定される。そのため、帰宅前のユーザがジョブ処理装置１０に接近してきた際に省電力モードを解除すると省電力効果を損ねてしまう。すなわち、電源オフが目的ならば、通常モードで復帰することは無駄であり、省電力モードから直接、電源オフへ移行することが好ましい。
【００７６】
そこで、接近人物の端末装置の電源がオフしている場合は（ステップＳ１３７；Ｙ）、該接近人物は帰宅前にジョブ処理装置１０の電源をオフするために接近してきたユーザであると推定し、該人物を除外人物とする（ステップＳ１３３）。
【００７７】
接近人物の端末装置の電源がオンしている場合は（ステップＳ１３７；Ｎ）、当該接近人物は除外人物でないと判定する（ステップＳ１３８）。なお、帰宅と判定する時刻（たとえば、１７時）を予め登録しておき、現時点がその時刻より後であることを、帰宅時の接近と判断する加重要件としてもよい。
【００７８】
図５は、印刷ジョブの依頼者を除外人物リストへ一時的に登録する処理の流れを示している。外部端末から受信した印刷ジョブに係る印刷が完了すると（ステップＳ１５１）、その印刷ジョブの依頼者（該ユーザのユーザＩＤ）を除外人物リストに登録する（ステップＳ１５２）。
【００７９】
その後、該依頼者が当該ジョブ処理装置１０に接近して離れ去ったことを確認したとき（ステップＳ１５３；Ｙ）、この依頼者を除外人物リストから削除する（ステップＳ１５５）。
【００８０】
該依頼者が当該ジョブ処理装置１０に接近して離れ去ったことが確認される以前においては（ステップＳ１５３；Ｎ）、画像印刷部１８の排紙トレイに印刷物が存在するか否かを排紙部センサ２９の検知状態によって判断し（ステップＳ１５４）、排紙トレイに印刷物が存在すれば（ステップＳ１５４；Ｙ）、ステップＳ１５３に戻って処理を継続する。一方、排紙トレイに印刷物が存在しない場合は（ステップＳ１５４；Ｎ）、印刷の依頼者が印刷物の取得目的で接近することはないと考えられるので、印刷の依頼者を除外人物リストから削除する（ステップＳ１５５）。たとえば、該依頼者の印刷物を他の人物が持ち去った場合などがこのケースになる。
【００８１】
図５の処理を行うことで、印刷終了後の、その印刷の依頼者による１回目の接近では、該依頼者は除外人物として扱われて省電力モードは解除されない。印刷終了後の１回目の接近は印刷物を取りに来るための接近であると推定されることによる。また、１回目の接近が終了したら、この依頼者を除外人物リストから削除するので、該依頼者の２回目の接近では、人感センサ２５の反応に基づいて省電力モードが解除される。
【００８２】
図６は、印刷ジョブの依頼者を除外人物リストへ一時的に登録する他の処理の例を示している。図５では、印刷の依頼者が接近して離れた場合に該依頼者を除外人物リストから削除したが、図６の処理ではさらに、その接近時に排紙トレイから印刷物が取り去られたことを除外人物リストからの削除条件としている。
【００８３】
詳細には、外部の端末装置から受信した印刷ジョブに係る印刷が完了すると（ステップＳ１７１）、その印刷ジョブの依頼者（該ユーザのユーザＩＤ）を除外人物リストに登録する（ステップＳ１７２）。その後、該依頼者が当該ジョブ処理装置１０に接近して離れ去ったこと（１回目に限らず）を確認したとき（ステップＳ１７３；Ｙ）、この依頼者の印刷物が排紙トレイに存在するか否かを排紙部センサ２９の検知状態から調べる（ステップＳ１７５）。
【００８４】
依頼者が接近してから離れ去ったときに排紙トレイから印刷物がなくなっていれば（ステップＳ１７５；Ｎ）、該依頼者を除外人物リストから削除する（ステップＳ１７６）。依頼者が接近してから離れ去ったときにまだ排紙トレイに印刷物があれば（ステップＳ１７５；Ｙ）、ステップＳ１７３に戻る。
【００８５】
該依頼者が当該ジョブ処理装置１０に接近して離れ去った状態になったとき（１回目に限定されない）以外では（ステップＳ１７３；Ｎ）、画像印刷部１８の排紙トレイに印刷物が存在するか否かを排紙部センサ２９の検知状態によって判断し（ステップＳ１７４）、排紙トレイに印刷物が存在すれば（ステップＳ１７４；Ｙ）、ステップＳ１７３に戻って処理を継続する。一方、排紙トレイに印刷物が存在しない場合は（ステップＳ１７４；Ｎ）、印刷の依頼者が印刷物の取得目的で接近することはないと考えられるので、印刷の依頼者を除外人物リストから削除する（ステップＳ１７６）。
【００８６】
以上のように本発明の第１の実施の形態では、接近してきた人物をＲＦＩＤ通信によって特定し、その人物が除外人物であれば、省電力モードを解除しないようにしたので、ジョブ処理装置１０を使用しない人物の接近によって省電力モードが解除されて省電力効果が損なわれることが防止される。
【００８７】
また、除外人物でない場合は、人感センサ２５がその人物の接近を検知したことによって省電力モードが解除されるので、該人物がジョブ処理装置１０に到着する前に通常モードへの復帰動作が開始され、到着後の待ち時間を少なくすることができる。
【００８８】
また、印刷ジョブを依頼したユーザがその印刷物を取りに来ると推定される期間だけそのユーザを除外人物に登録するので、印刷物取得のための接近によって省電力モードが解除されることが防止される。
【００８９】
また、接近人物がジョブ処理装置１０の使用を許可された登録ユーザでない場合は、そのユーザを除外人物と扱って省電力モードを解除しないので、ジョブ処理装置１０の使用が許可されないユーザの接近によって無駄に省電力モードが解除されることが防止される。
【００９０】
また、接近人物の端末装置が電源オフしている場合は、帰宅前にジョブ処理装置１０の電源をオフする目的でジョブ処理装置１０に接近してきたと推定してこの人物を除外人物と判断するので、ジョブ処理装置１０の電源をオフする目的の接近によって無駄に省電力モードが解除されることが防止される。
【００９１】
なお、除外人物とする基準は、例示したものに限定されず、任意でよい。たとえば、消耗品にＩＣタグを付けておけば、人物が接近した際に消耗品のＩＣタグが検出されれば、その人物は消耗品の交換目的で接近してきたと推定できる。そこで、人物接近時に消耗品のＩＣタグが検出された場合は、該人物を除外人物として省電力モードを解除しないように制御することができる。
【００９２】
次に、本発明の第２の実施の形態について説明する。
【００９３】
第２の実施の形態ではＲＦＩＤは使用しない。第２の実施の形態では、人感センサ２５が人物を検出した場合であっても、その検出時点が印刷終了から一定時間内の場合は省電力モードを解除しないように制御される。ジョブ処理装置１０の構成は第１の実施の形態と同様である。ただし、ＲＦＩＤ通信部２６は無くてもよい。
【００９４】
図７は、第２の実施の形態のジョブ処理装置１０が行う、印刷終了後の省電力モードへの移行・解除に係る動作の第１例を示す流れ図である。印刷ジョブに係る印刷が終了すると（ステップＳ２０１）、省電力モードへの移行設定がオンになっているか否かを調べ、オフならば（ステップＳ２０２；Ｎ）、通常モードでの待機状態を継続する（ステップＳ２０３）。
【００９５】
省電力モードへの移行設定がオンならば（ステップＳ２０２；Ｙ）、省電力モードへの移行条件が成立したか否かを調べ（ステップＳ２０４）、成立しない場合は（ステップＳ２０４；Ｎ）、通常モードでの待機状態を継続する（ステップＳ２０３）。
【００９６】
省電力モードへの移行条件が成立した場合は（ステップＳ２０４；Ｙ）、自装置の動作モードを省電力モードへ移行させる（ステップＳ２０５）。そして、省電力モード中は以下の動作を行う。
【００９７】
ＣＰＵ１１は、原稿台への原稿セット状態を原稿センサから入力し（ステップＳ２０６）、原稿セットが検出された場合は（ステップＳ２０７；Ｙ）、省電力モードを解除する（ステップＳ２１０）。原稿セットが検出されないときは（ステップＳ２０７；Ｎ）、操作表示部２１に対するユーザの操作状態を示す情報を操作表示部２１から入力する（ステップＳ２０８）。操作表示部２１がユーザから何らかの操作（もしくは特定の操作）を受けた場合は（ステップＳ２０９；Ｙ）、省電力モードを解除する（ステップＳ２１０）。
【００９８】
上記の操作をユーザから受けていない場合は（ステップＳ２０９；Ｎ）、人感センサ２５の検出状態を入力する（ステップＳ２１１）。人感センサ２５が人物を検知していない場合は（ステップＳ２１２；Ｎ）、ステップＳ２０６へ戻って、復帰条件の成立を監視する。
【００９９】
人感センサ２５が人物を検知している場合（ステップＳ２１２；Ｙ）、印刷終了から一定時間内ならば（ステップＳ２１３；Ｙ）、ステップＳ２０６へ戻る。印刷終了から一定時間経過後ならば（ステップＳ２１３；Ｎ）、省電力モードを解除する（ステップＳ２１０）。
【０１００】
すなわち、印刷終了から一定時間内は、その印刷の印刷物をユーザが取りに来る可能性が高いので、印刷終了から一定時間内の人物の接近は印刷物取得を目的とした接近であると判断し、省電力モードの解除は行わない。
【０１０１】
図８は、第２の実施の形態のジョブ処理装置１０が行う、印刷終了後の省電力モードへの移行・解除に係る動作の第２例を示す流れ図である。第２例では、人物の接近が印刷終了から一定時間内に検出された場合であっても排紙トレイに印刷物がなければ印刷物取得目的での接近ではないと判断して省電力モードを解除するようになっている。
【０１０２】
図７と同一処理には同一のステップ番号を付してある。ステップＳ２０１からＳ２１３（Ｎ）までは図７と同一であり、その説明は省略する。
【０１０３】
人感センサ２５が人物を検知した時点が印刷終了から一定時間内ならば（ステップＳ２１３；Ｙ）、排紙部センサ２９の検知状態を入力する（ステップＳ２１４）。排紙部センサ２９の検知状態が画像印刷部１８の排紙トレイに印刷物が存在することを示す場合は（ステップＳ２１５；Ｙ）、ステップＳ２０６へ戻って復帰条件の成立を監視する。
【０１０４】
排紙部センサ２９の検知状態が画像印刷部１８の排紙トレイに印刷物が存在しないことを示す場合は（ステップＳ２１５；Ｎ）、今回の接近時に排紙トレイから印刷物が取り去られたか否かを判断する（ステップＳ２１６）。今回の接近時に排紙トレイから印刷物が取り去られた場合は（ステップＳ２１６；Ｙ）、ステップＳ２０６に戻って処理を継続する。今回の接近時に排紙トレイから印刷物が取り去られていない場合は（ステップＳ２１６；Ｎ）、省電力モードを解除する（ステップＳ２１０）。ステップＳ２１６の判断は、接近してきたユーザが排紙トレイから印刷物を回収するとその時点で排紙部センサ２９は印刷物なしを検知するので、このユーザが人感センサ２５の検知範囲にいる間（立ち去る前）は、省電力モードを解除しないように制御するものである。
【０１０５】
たとえば、ステップＳ２１５；Ｙとなった際に所定のフラグをセットし、その後、ステップＳ２１２；Ｎとなった場合にこのフラグをリセットするようにすれば、ステップＳ２１６にてこのフラグがセットされているか否かを判断し、セットされていれば今回の接近時に排紙トレイから印刷物が取り去られたとして（ステップＳ２１６；Ｙ）処理すればよい。
【０１０６】
次に、本発明の第３の実施の形態について説明する。
【０１０７】
第３の実施の形態ではＲＦＩＤは使用しない。第３の実施の形態では、人感センサ２５が接近人物を検出した場合であっても、該人物検出の継続時間が指定時間未満であれば省電力モードを解除しないように制御される。ジョブ処理装置１０の構成は第１の実施の形態と同様である。ただし、ＲＦＩＤ通信部２６は無くてもよい。
【０１０８】
図９は、第３の実施の形態のジョブ処理装置１０が行う、印刷終了後の省電力モードへの移行・解除に係る動作の第１例を示す流れ図である。図７と同一処理には同一のステップ番号を付してある。ステップＳ２０１からＳ２１１までは図７と同一であり、その説明は省略する。
【０１０９】
人感センサ２５が人物を検出している場合（ステップＳ２１２；Ｙ）、人感センサ２５が人物を検出している状態の継続時間をタイマー部２７で計測する（ステップＳ２２２）。人物検出（センサＯＮ）の継続時間が予め設定された指定時間未満の場合は（ステップＳ２２３；Ｎ）、ステップＳ２０６へ戻って処理を継続する。
【０１１０】
人物検出の継続時間が指定時間以上の場合は（ステップＳ２２３；Ｙ）、省電力モードを解除する（ステップＳ２１０）。すなわち、短時間の接近は、印刷物を取りに来ただけ、あるいはジョブ処理装置１０の近くを通過するだけであってジョブ処理装置１０の操作を目的としないと想定されるので、省電力モードを解除せず、接近状態が一定時間以上継続した場合に初めて省電力モードを解除する。これにより、無駄な省電力モードの解除が抑制される。なお、人感センサ２５が人物の接近を検出しない場合（ステップＳ２１２；Ｎ）、人物検出の継続時間の計測を中止し、継続時間の計測値をリセットする（ステップＳ２２１）。
【０１１１】
図１０は、第３の実施の形態のジョブ処理装置１０が行う、印刷終了後の省電力モードへの移行・解除に係る動作の第２例を示す流れ図である。第２例では、人物の接近が印刷終了から一定時間経過後に検出された場合は、人物検出の継続時間にかかわらず省電力モードを解除するようになっている。
【０１１２】
図９と同一処理には同一のステップ番号を付してある。図９との相違は、ステップＳ２１２；Ｙの場合に、ステップＳ２２０へ移行する点である。すなわち、人感センサ２５が人物を検出した場合（ステップＳ２１２；Ｙ）、その検出時点が印刷終了から一定時間の経過前か否かを判断し（ステップＳ２２０）、一定時間の経過後であれば（ステップＳ２２０；Ｎ）、印刷物を取りに来た人物でないと推定し、省電力モードを解除する（ステップＳ２１０）。一定時間の経過前であれば（ステップＳ２２０；Ｙ）、ステップＳ２２２へ移行して図９と同様の処理を行う。
【０１１３】
つまり、印刷完了から一定時間経過前にジョブ処理装置１０に人物が接近し、かつその人物がジョブ処理装置１０の前から短時間で立ち去る場合は印刷物を取りに来たと推定して省電力モードを解除しない。それ以外の接近では省電力モードを解除する。
【０１１４】
図１１は、第３の実施の形態のジョブ処理装置１０が行う、印刷終了後の省電力モードへの移行・解除に係る動作の第３例を示す流れ図である。第３例では、人物の接近が検出された場合に排紙トレイに印刷物がなければ印刷物取得目的での接近ではないと判断して省電力モードを解除するようになっている。
【０１１５】
図９と同一処理には同一のステップ番号を付してある。図９との相違は、ステップＳ２１２；Ｙの場合に、ステップＳ２３１へ移行する点である。すなわち、人感センサ２５が人物を検出した場合（ステップＳ２１２；Ｙ）、排紙部センサ２９の検知状態を入力する（ステップＳ２３１）。排紙部センサ２９の検知状態が画像印刷部１８の排紙トレイに印刷物が存在することを示す場合は（ステップＳ２３２；Ｙ）、ステップＳ２２２へ移行する。
【０１１６】
排紙部センサ２９の検知状態が画像印刷部１８の排紙トレイに印刷物が存在しないことを示す場合は（ステップＳ２３２；Ｎ）、今回の接近時に排紙トレイから印刷物が取り去られたか否かを判断する（ステップＳ２３３）。今回の接近時に排紙トレイから印刷物が取り去られた場合は（ステップＳ２３３；Ｙ）、ステップＳ２２２に戻って処理を継続する。今回の接近時に排紙トレイから印刷物が取り去られていない場合は（ステップＳ２３３；Ｎ）、省電力モードを解除する（ステップＳ２１０）。ステップＳ２３３は図８のステップＳ２１６と同様の役割を果たす。
【０１１７】
以上、本発明の各種の実施の形態を図面によって説明してきたが、具体的な構成は実施の形態に示したものに限られるものではなく、本発明の要旨を逸脱しない範囲における変更や追加があっても本発明に含まれる。
【０１１８】
ジョブ処理装置１０は画像印刷部１８を備えた装置（印刷処理装置）に限定されず、たとえば、画像入力部１７による原稿の読み取りを専ら行う画像読取装置などでもよい。
【０１１９】
人感センサ２５は、ジョブ処理装置１０の本体に装着されるものに限定されず、ジョブ処理装置１０に接近する人物を検知できれば、たとえば、ジョブ処理装置１０とは別体にジョブ処理装置１０から離れた場所に設置されてもよい。ＲＦＩＤ通信部２６も同様である。
【０１２０】
実施の形態では人感センサ２５によって人物の接近を検出し、ＲＦＩＤ通信部２６によってその人物の特定を行うようにしたが、ＲＦＩＤ通信部２６の検知範囲を人感センサ２５の検知範囲のように設定すれば、ＲＦＩＤ通信部２６が人物の接近を検出するセンサの機能を兼用する構成としてもよい。人物特定方法が例示したものに限定されず、たとえば、ＧＰＳ（Global Positioning System）機能によって各ユーザの位置を特定できれば、接近した人物を該ＧＰＳ機能により特定してもよい。
【符号の説明】
【０１２１】
１０…ジョブ処理装置（印刷処理装置）
１１…ＣＰＵ
１２…ＲＯＭ
１３…ワークメモリ（ＲＡＭ）
１４…ファイル制御部
１５…不揮発メモリ
１６…ハードディスク装置（ＨＤＤ）
１７…画像入力部
１８…画像印刷部
１９…画像メモリ
２１…操作表示部
２２…圧縮/復号部
２３…ネットワーク制御部
２４…汎用Ｉ／Ｆ
２５…人感センサ
２６…ＲＦＩＤ通信部
２７…タイマー部
２８…電源部
２９…排紙部センサ
３０…除外人物リスト
【図１】
2013055618.tif 000003
【図２】
2013055618.tif 000004
【図３】
2013055618.tif 000005
【図４】
2013055618.tif 000006
【図５】
2013055618.tif 000007
【図６】
2013055618.tif 000008
【図７】
2013055618.tif 000009
【図８】
2013055618.tif 000010
【図９】
2013055618.tif 000011
【図１０】
2013055618.tif 000012
【図１１】
2013055618.tif 000013